【手続補正書】
【提出日】平成26年11月7日(2014.11.7)
【手続補正１】
【補正対象書類名】明細書
【補正対象項目名】００８５
【補正方法】削除
【補正の内容】
【手続補正２】
【補正対象書類名】明細書
【補正対象項目名】００８６
【補正方法】削除
【補正の内容】
【手続補正３】
【補正対象書類名】明細書
【補正対象項目名】００８７
【補正方法】削除
【補正の内容】
【手続補正４】
【補正対象書類名】明細書
【補正対象項目名】００８８
【補正方法】削除
【補正の内容】
【手続補正５】
【補正対象書類名】明細書
【補正対象項目名】００８９
【補正方法】削除
【補正の内容】
【手続補正６】
【補正対象書類名】明細書
【補正対象項目名】００９０
【補正方法】削除
【補正の内容】
【手続補正７】
【補正対象書類名】特許請求の範囲
【補正対象項目名】全文
【補正方法】変更
【補正の内容】
【特許請求の範囲】
【請求項１】
支持体と、前記支持体の一方の面に設けられた粘着剤層とを有する粘着テープを収容する粘着テープ包装袋であって、前記粘着剤層に剥離可能に付着される剥離シートから構成される前記粘着テープ包装袋において、
前記剥離シートは所定の第１折曲げ線に沿って第１部分と第２部分とに折り曲げられ、
前記粘着剤層が外側に向くように前記粘着テープが所定の第２折曲げ線に沿って第１部分と第２部分とに折り曲げられ、
前記第１折曲げ線及び前記第２折曲げ線が互いに隣合って接した状態で、折り曲げられた前記粘着テープが、折り曲げられた前記剥離シートの内側に封じられており、
前記粘着テープの前記第１部分が前記粘着テープの前記第２部分よりも大きく、前記粘着テープの前記第１部分が、前記粘着テープの前記第２部分からはみ出すはみ出し部分を有しており、
前記粘着テープの前記第２部分側となる前記剥離シートの部分で、前記はみ出し部分に対向する部分の少なくとも一部分には、仮止め手段が設けられており、
前記仮止め手段を介しての、前記剥離シートに対する前記粘着テープの前記支持体の付着力が、前記剥離シートに対する前記粘着剤層の付着力よりも大きいことを特徴とする粘着テープ包装袋。
【請求項２】
支持体と、前記支持体の一方の面に設けられた粘着剤層とを有する粘着テープを収容する粘着テープ包装袋であって、前記粘着剤層に剥離可能に付着される剥離シートから構成される前記粘着テープ包装袋において、
前記剥離シートは所定の第１折曲げ線に沿って第１部分と第２部分とに折り曲げられ、
前記粘着剤層が外側に向くように前記粘着テープが所定の第２折曲げ線に沿って第１部分と第２部分とに折り曲げられ、
前記第１折曲げ線及び前記第２折曲げ線が互いに隣合い且つ離隔した状態で、折り曲げられた前記粘着テープが、折り曲げられた前記剥離シートの内側に封じられており、
前記粘着テープの前記第１部分が前記粘着テープの前記第２部分よりも大きく、前記粘着テープの前記第１部分が、前記粘着テープの前記第２部分からはみ出すはみ出し部分を有しており、
前記粘着テープの前記第２部分側となる前記剥離シートの部分で、前記はみ出し部分に対向する部分の少なくとも一部分には、仮止め手段が設けられており、
前記仮止め手段を介しての、前記剥離シートに対する前記粘着テープの前記支持体の付着力が、前記剥離シートに対する前記粘着剤層の付着力よりも大きいことを特徴とする粘着テープ包装袋。
【請求項３】
支持体と、前記支持体の一方の面に設けられた粘着剤層とを有する粘着テープを収容する粘着テープ包装袋であって、前記粘着剤層に剥離可能に付着される剥離シートから構成される前記粘着テープ包装袋において、
前記剥離シートは所定の第１折曲げ線に沿って第１部分と第２部分とに折り曲げられ、
前記粘着剤層が外側に向くように前記粘着テープが所定の第２折曲げ線に沿って第１部分と第２部分とに折り曲げられており、
前記第１折曲げ線及び前記第２折曲げ線が互いに隣合って接した状態で、折り曲げられた前記粘着テープが、折り曲げられた前記剥離シートの内側に封じられており、
前記粘着テープの前記第１部分が前記粘着テープの前記第２部分と実質的に同形であり、
前記粘着テープの前記第１部分と前記粘着テープの前記第２部分との間に仮止め手段が設けられており、
前記仮止め手段の付着力が、前記剥離シートに対する前記粘着剤層の付着力よりも大きいことを特徴とする粘着テープ包装袋。
【請求項４】
支持体と、前記支持体の一方の面に設けられた粘着剤層とを有する粘着テープを収容する粘着テープ包装袋であって、前記粘着剤層に剥離可能に付着される剥離シートから構成される前記粘着テープ包装袋において、
前記剥離シートは所定の第１折曲げ線に沿って第１部分と第２部分とに折り曲げられ、
前記粘着剤層が外側に向くように前記粘着テープが所定の第２折曲げ線に沿って第１部分と第２部分とに折り曲げられ、
前記第１折曲げ線及び前記第２折曲げ線が互いに隣合い且つ離隔した状態で、折り曲げられた前記粘着テープが、折り曲げられた前記剥離シートの内側に封じられており、
前記粘着テープの前記第１部分が前記粘着テープの前記第２部分と実質的に同形であり、
前記粘着テープの前記第１部分と前記粘着テープの前記第２部分との間に仮止め手段が設けられており、
前記仮止め手段の付着力が、前記剥離シートに対する前記粘着剤層の付着力よりも大きいことを特徴とする粘着テープ包装袋。
【請求項５】
前記剥離シートの前記第１部分が前記剥離シートの前記第２部分と実質的に同形であり、
前記剥離シートの前記第１部分と前記第２部分とが互いに重ね合わされ、
前記剥離シートの前記第１部分と前記第２部分との重ね合わされた部分であって、前記粘着テープを囲む部分が密閉されていることを特徴とする請求項１〜４のいずれか一項に記載の粘着テープ包装袋。
【請求項６】
前記剥離シートの前記第１部分と前記第２部分との間を密閉すべく面接合された面接合部の外縁に、外方に突出する凸点を少なくとも１つ形成したことを特徴とする請求項５に記載の粘着テープ包装袋。
【請求項７】
前記粘着テープの前記第１部分の前記粘着剤層と前記剥離シートとの付着力を抑制する付着力抑制手段が、前記剥離シートの少なくとも一部分に設けられていることを特徴とする請求項１〜６のいずれか一項に記載の粘着テープ包装袋。
【請求項８】
前記付着力抑制手段が、前記剥離シートの、前記粘着テープの前記第１部分の前記粘着剤層と付着する部分の少なくとも一部分に施されたシリコン処理面であることを特徴とする請求項７に記載の粘着テープ包装袋。
【請求項９】
前記付着力抑制手段が、前記剥離シートの、前記粘着テープの前記第１部分の前記粘着剤層と付着する部分の少なくとも一部分に施されたエンボス加工面及び／又はサンド加工面であることを特徴とする請求項７に記載の粘着テープ包装袋。
【請求項１０】
前記仮止め手段が前記粘着テープの前記支持体に接着性を有することを特徴とする請求項１〜９のいずれか一項に記載の粘着テープ包装袋。
【請求項１１】
前記粘着テープが皮膚又は粘膜に用いることを特徴とする請求項１〜１０のいずれか一項に記載の粘着テープ包装袋。
【請求項１２】
前記剥離シートを開封した後、前記粘着テープの前記第１部分の前記粘着剤層が露出し、かかる露出部分を貼付部位ないし貼付部位の近傍に当て、次いで、前記剥離シートの前記第１部分を保持したまま、前記剥離シートをその長手方向かつ前記粘着テープから遠ざかる向きに引っ張ることにより、貼付することができることを特徴とする請求項１〜１１のいずれか一項に記載の粘着テープ包装袋。